【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
シートに対する印刷処理を実行する印刷装置、及び当該印刷装置により印刷処理が実行されたシートを積載する複数の積載装置、を制御する印刷制御装置であって、
前記印刷装置により第１のジョブに基づく印刷処理が実行された後に第１の積載装置に積載されたシートが前記第１の積載装置から取出可能な状態であることを検知する検知手段と、
前記取出可能な状態であることを前記検知手段が検知した場合、前記第１のジョブに後続する第２のジョブであって前記第１の積載装置へのシート積載を行わない該第２のジョブに基づく印刷処理は実行せず、前記第２のジョブに後続する第３のジョブであって前記第１の積載装置とは異なる第２の積載装置へのシート積載を行う前記第３のジョブに基づく印刷処理を実行するよう、前記印刷装置を制御する制御手段と
を有することを特徴とする印刷制御装置。
【請求項２】
前記第１の積載装置は、前記第１の積載装置に積載されたシートを前記第１の積載装置から取り出すためのドアを有し、
前記検知手段は、前記ドアが閉じられていない場合に、前記第１の積載装置に積載されたシートが前記第１の積載装置から取出可能な状態である、と検知することを特徴とする請求項１に記載の印刷制御装置。
【請求項３】
前記第１の積載装置は、前記第１の積載装置に積載されたシートを前記第１の積載装置から取り出すためのドアを有し、
前記検知手段は、前記ドアが施錠されていない場合に、前記第１の積載装置に積載されたシートが前記第１の積載装置から取出可能な状態である、と検知することを特徴とする請求項１に記載の印刷制御装置。
【請求項４】
ユーザからの指示に従って、前記検知手段による検知結果に関わらず前記第２のジョブに基づく印刷処理を実行することなく前記第３のジョブに基づく印刷処理を実行するよう指定する指定手段を更に有し、
前記制御手段は、前記検知手段の検知結果に関わらず前記第２のジョブに基づく印刷処理を実行することなく前記第３のジョブに基づく印刷処理を実行するよう前記指定手段が指定した場合、前記第１のジョブに基づいて前記印刷装置により印刷処理が実行されたシートが前記第１の積載装置に積載されたことに応じて、前記検知手段による検知結果に関わらず、前記第２のジョブに基づく印刷処理を実行することなく前記第３のジョブに基づく印刷処理を実行するよう前記印刷装置を制御する
ことを特徴とする請求項１乃至３の何れか１項に記載の印刷制御装置。
【請求項５】
前記制御手段は、前記第１のジョブに基づいて前記印刷装置により印刷処理が実行されたシートが前記第１の積載装置に積載されてから予め定められた時間が経過した後、前記第１の積載装置に積載されたシートが前記第１の積載装置から取出可能な状態であることを前記検知手段が検知した場合、前記第２のジョブに基づく印刷処理を実行することなく前記第３のジョブに基づく印刷処理を実行するよう前記印刷装置を制御し、
前記第１のジョブに基づいて前記印刷装置により印刷処理が実行されたシートが前記第１の積載装置に積載されてから予め定められた時間が経過するまでは、前記第１の積載装置に積載されたシートが前記第１の積載装置から取出可能な状態であることを前記検知手段が検知していない場合であっても、前記第２のジョブに基づく印刷処理を実行することなく前記第３のジョブに基づく印刷処理を実行することを禁止するよう、前記印刷装置を制御する
ことを特徴とする請求項１乃至４の何れか１項に記載の印刷制御装置。
【請求項６】
ユーザからの指示に従って、前記予め定められた時間を設定する手段を更に有することを特徴とする請求項５に記載の印刷制御装置。
【請求項７】
請求項１に記載の前記印刷制御装置及び前記印刷装置を有することを特徴とする印刷システム。
【請求項８】
請求項１に記載の前記印刷制御装置、請求項１に記載の前記印刷装置、及び請求項１に記載の前記複数の積載装置を有することを特徴とする印刷システム。
【請求項９】
シートに対する印刷処理を実行する印刷装置、及び当該印刷装置により印刷処理が実行されたシートを積載する複数の積載装置、を制御する印刷制御装置の制御方法であって、
前記印刷装置により第１のジョブに基づく印刷処理が実行された後に第１の積載装置に積載されたシートが前記第１の積載装置から取出可能な状態であることを検知する検知工程と、
前記取出可能な状態であることを前記検知工程で検知した場合、前記第１のジョブに後続する第２のジョブであって前記第１の積載装置へのシート積載を行わない該第２のジョブに基づく印刷処理は実行せず、前記第２のジョブに後続する第３のジョブであって前記第１の積載装置とは異なる第２の積載装置へのシート積載を行う前記第３のジョブに基づく印刷処理を実行するよう、前記印刷装置を制御する制御工程と
を有することを特徴とする印刷制御装置の制御方法。
【請求項１０】
シートに対する印刷処理を実行する印刷装置、及び当該印刷装置により印刷処理が実行されたシートを積載する複数の積載装置、を制御する印刷制御装置を、請求項１乃至６の何れか１項に記載の印刷制御装置が有する各手段として機能させるためのコンピュータプログラム。
【手続補正２】
【補正対象書類名】明細書
【補正対象項目名】発明の名称
【補正方法】変更
【補正の内容】
【発明の名称】印刷制御装置、印刷システム、印刷制御装置の制御方法、及びコンピュータプログラム
【手続補正３】
【補正対象書類名】明細書
【補正対象項目名】０００１
【補正方法】変更
【補正の内容】
【０００１】
本発明は、印刷制御装置、印刷システム、印刷制御装置の制御方法、及びコンピュータプログラムに関するものである。
【手続補正４】
【補正対象書類名】明細書
【補正対象項目名】００１４
【補正方法】変更
【補正の内容】
【００１４】
そこで、本発明は、上記課題に鑑みてなされたものであり、オフィス環境に留まらずＰＯＤ環境にも適応可能な便利な印刷制御装置、印刷システム、印刷制御装置の制御方法、及びコンピュータプログラムを提供可能にする。
【手続補正５】
【補正対象書類名】明細書
【補正対象項目名】００１７
【補正方法】変更
【補正の内容】
【００１７】
本発明の目的を達成するために、例えば、本発明の印刷制御装置は以下の構成を備える。
【手続補正６】
【補正対象書類名】明細書
【補正対象項目名】００１８
【補正方法】変更
【補正の内容】
【００１８】
即ち、シートに対する印刷処理を実行する印刷装置、及び当該印刷装置により印刷処理が実行されたシートを積載する複数の積載装置、を制御する印刷制御装置であって、
前記印刷装置により第１のジョブに基づく印刷処理が実行された後に第１の積載装置に積載されたシートが前記第１の積載装置から取出可能な状態であることを検知する検知手段と、
前記取出可能な状態であることを前記検知手段が検知した場合、前記第１のジョブに後続する第２のジョブであって前記第１の積載装置へのシート積載を行わない該第２のジョブに基づく印刷処理は実行せず、前記第２のジョブに後続する第３のジョブであって前記第１の積載装置とは異なる第２の積載装置へのシート積載を行う前記第３のジョブに基づく印刷処理を実行するよう、前記印刷装置を制御する制御手段と
を有することを特徴とする。
【手続補正７】
【補正対象書類名】明細書
【補正対象項目名】００１９
【補正方法】変更
【補正の内容】
【００１９】
本発明の目的を達成するために、例えば、本発明の印刷制御装置の制御方法は以下の構成を備える。
【手続補正８】
【補正対象書類名】明細書
【補正対象項目名】００２０
【補正方法】変更
【補正の内容】
【００２０】
即ち、シートに対する印刷処理を実行する印刷装置、及び当該印刷装置により印刷処理が実行されたシートを積載する複数の積載装置、を制御する印刷制御装置の制御方法であって、
前記印刷装置により第１のジョブに基づく印刷処理が実行された後に第１の積載装置に積載されたシートが前記第１の積載装置から取出可能な状態であることを検知する検知工程と、
前記取出可能な状態であることを前記検知工程で検知した場合、前記第１のジョブに後続する第２のジョブであって前記第１の積載装置へのシート積載を行わない該第２のジョブに基づく印刷処理は実行せず、前記第２のジョブに後続する第３のジョブであって前記第１の積載装置とは異なる第２の積載装置へのシート積載を行う前記第３のジョブに基づく印刷処理を実行するよう、前記印刷装置を制御する制御工程と
を有することを特徴とする。